(57)【要約】【課題】イオンを利用して集塵性能の向上を図り、狭い場所、広い場所の掃除の切り替えが容易で使用性を向上させる電気掃除機を提供することを目的とする。【解決手段】床ノズル１１と、前記床ノズル１０に着脱自在に装着される小型ノズル１０とを備え、前記小型ノズル１０の吸気ヘッド４０を前記床ノズル１１に装着する構成とし、前記吸気ヘッド４０を前記床ノズル１１に装着したときには、前記吸気ヘッド４０内は前記床ノズル１１と連通する構成とするとともに、前記床ノズル１１と前記小型ノズル１０の両方にイオン発生装置を設けたもので、前記床ノズル１１に前記小型ノズル１０を装着した状態でイオンの効果で床面のごみを効率的に除去でき、小型ノズル１０単体で用いた状態でも、狭い場所の掃除をイオンの効果で床面のごみを効率的に除去できる。【選択図】  図２
2004337501.tif 000002
【特許請求の範囲】
【請求項１】
床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記床ノズルと前記小型ノズルの両方にイオン発生装置を設けた電気掃除機用吸込具。
【請求項２】
床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記小型ノズルにイオン発生装置を設けた電気掃除機用吸込具。
【請求項３】
小型ノズル内に塵埃を吸引する開口を有する吸込室と、前記吸込室に少なくとも１つ以上配設され表面が起毛布からなる回転子とを備え、前記回転子は、前記吸込室内に流れ込む気流および／または前記吸込室内を流れる気流により回転し、前記吸込室内に前記起毛布の材質と帯電順位の異なる材料で構成した発生体を設け、起毛布と発生体との摩擦力で発生体が帯電し、イオンを発生させる請求項１または２記載の電気掃除機用吸込具。
【請求項４】
起毛布に直接気流が当たることで、回転子が回転する請求項３記載の電気掃除機用吸込具。
【請求項５】
起毛布の繊維を倒伏させるとともに、前記倒伏している繊維の先端側から、気流を起毛布に当てる請求項４記載の電気掃除機用吸込具。
【請求項６】
回転子の回転軸に対して、略垂直に起毛布の繊維を倒伏させた請求項５記載の電気掃除機用吸込具。
【請求項７】
起毛布材質は帯電順位が正側のナイロンや羊毛などで構成し、発生体材質は帯電順位が負側のフッ素樹脂や塩化ビニルなどで構成した請求項３から６のいずれか１項に記載の電気掃除機用吸込具。
【請求項８】
小型ノズル内の塵埃を吸引する開口を有する吸込室内または前記吸込室近傍に帯電順位が異なるブラシから構成されるブラシ群とを備え、前記ブラシ群と被掃除面を摩擦させたとき、前記帯電順位が異なるブラシが摩擦し合うことで、イオンを発生させる請求項１または２記載の電気掃除機用吸込具。
【請求項９】
１枚の基布上に、帯電順位の異なるブラシを形成しブラシ群とした請求項８記載の電気掃除機用吸込具。
【請求項１０】
掃除機本体が内蔵する吸引風を発する電動送風機に、請求項１〜９のいずれか１項に記載の電気掃除機用吸込具が連通する電気掃除機。
【発明の詳細な説明】
【０００１】
【発明の属する技術分野】
本発明は、塵埃を吸引する電気掃除機用吸込具およびそれを用いた電気掃除機に関するものである。
【０００２】
【従来の技術】
従来のマイナスイオン発生装置は、高電圧回路により発生させた高電圧を離れた電極間に引火し、その空気層を介した電極間の放電か、電極間の絶縁体表面上での放電により空気中に負電荷である電子を放出させて空気中の水分等を負に帯電させるか、あるいは金や白金表面に紫外線を照射し、金属中の電子を空気中にたたき出すことによって同じく空気中の水分等を負に帯電させてマイナスイオンを発生させていた（例えば、特許文献１参照）。
【０００３】
【特許文献１】
特開２００１−３３８７４４号公報
【０００４】
【発明が解決しようとする課題】
しかしながら従来のマイナスイオン発生装置は、放電方式の場合、マイナスイオン発生と同時に有害なオゾンも副産物として発生してしまったり、放電のために高圧回路を使用するため、その高電圧により感電や火災の危険を伴ったりしていた。また、紫外線照射方式の場合、使用する紫外線は人体に有害であるため、直接人体、特に眼に照射されないように配慮が必要であった。
【０００５】
本発明は、上記課題を解決し、安全かつ非常に簡単な機構で、マイナスイオンを容易に且つ多量に連続的に発生させて、集塵性能および使用性を向上させる電気掃除機を提供することを目的とする。
【０００６】
【課題を解決するための手段】
上記目的を達成するために本発明は、床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記床ノズルと前記小型ノズルの両方にイオン発生装置を設けることにより、床ノズルに小型ノズルを装着した状態でイオンの効果で床面のごみを効率的に除去でき、また、小型ノズル単体で用いた状態でも、床ノズルでは無理な狭い場所の掃除をイオンの効果で床面のごみを効率的に除去できる。
【０００７】
【発明の実施の形態】
本発明の請求項１に記載の発明は、床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記床ノズルと前記小型ノズル共にイオン発生装置を設けることにより、床ノズルに小型ノズルを装着した状態でイオンの効果で床面のごみを効率的に除去でき、また、小型ノズル単体で用いた状態でも、床ノズルでは無理な狭い場所の掃除をイオンの効果で床面のごみを効率的に除去できる。
【０００８】
本発明の請求項２に記載の発明は、床ノズルと、前記床ノズルに着脱自在に装着される小型ノズルとを備え、前記小型ノズルの吸気ヘッドを前記床ノズルに装着する構成とし、前記吸気ヘッドを前記床ノズルに装着したときには、前記吸気ヘッド内は前記床ノズルと連通する構成とするとともに、前記小型ノズルにイオン発生装置を設けたもので、小型ノズル単体で用いた状態で、床ノズルでは無理な狭い場所の掃除をイオンの効果で床面のごみを効率的に除去できる。
【０００９】
本発明の請求項３に記載の発明は、小型ノズル内に塵埃を吸引する開口を有する吸込室と、前記吸込室に少なくとも１つ以上配設され表面が起毛布からなる回転子とを備え、前記回転子は、前記吸込室内に流れ込む気流および／または前記吸込室内を流れる気流により回転し、前記吸込室内に前記起毛布の材質と帯電順位の異なる材料で構成した発生体を設け、起毛布と発生体との摩擦力で発生体が帯電し、イオンを発生させるもので、回転子を空気の流れで回転させるため、モータ等の機械的駆動源が不要であり、小型、軽量、低価格で拭き、掃き、磨き性能が高い吸込具を提供することができる。
【００１０】
本発明の請求項４に記載の発明は、起毛布に直接気流が当たることで、回転子が回転するもので、起毛布のみの構成でその他に機構部品を用いないため構造が単純で、信頼性が高く低価格な吸込具を提供することができる。
【００１１】
本発明の請求項５に記載の発明は、起毛布の繊維を倒伏させるとともに、前記倒伏している繊維の先端側から、気流を起毛布に当てるもので、倒伏している繊維の先端側から、気流を起毛布に当てることで、倒伏している繊維が風受けとなり、強い回転力が得られ、拭き、掃き、磨き性能が高い吸込具を提供することができる。
【００１２】
本発明の請求項６に記載の発明は、回転子の回転軸に対して、略垂直に起毛布の繊維を倒伏させたもので、倒伏している繊維が風受けとなり、強い回転力が得られ、拭き、掃き、磨き性能が高い吸込具を提供することができる。
【００１３】
本発明の請求項７に記載の発明は、起毛布材質は帯電順位が正側のナイロンや羊毛などで構成し、発生体材質は帯電順位が負側のフッ素樹脂や塩化ビニルなどで構成したもので、この時摩擦で回転子の起毛布はプラスに帯電しているので、マイナスイオンにより床面のごみをマイナスに帯電させ、プラスに帯電した回転子の静電引力が強くなるので効率的に集塵できる。
【００１４】
本発明の請求項８に記載の発明は、小型ノズル内の塵埃を吸引する開口を有する吸込室内または前記吸込室近傍に帯電順位が異なるブラシから構成されるブラシ群とを備え、前記ブラシ群と被掃除面を摩擦させたとき、前記帯電順位が異なるブラシが摩擦し合うことで、イオンを発生させるもので、被掃除面とブラシ群とが直接接触していることから、被掃除面の塵埃にマイナスイオンを効率良く吸着させることができ、さらにブラシ群の掻き上げ力で被掃除面の塵埃を効率的に集塵できる。
【００１５】
本発明の請求項９に記載の発明は、１枚の基布上に、帯電順位の異なるブラシを形成しブラシ群としたもので、帯電順位の異なるブラシ同士の摩擦効率が向上されるため、マイナスイオンの発生量が増大し、被掃除面に効果的にマイナスイオンを拡散でき、効率良く集塵することができる。また、安価で帯電順位の異なるブラシを有するブラシ群を形成できる。
【００１６】
本発明の請求項１０に記載の発明は、掃除機本体が内蔵する吸引風を発する電動送風機に、請求項１〜９のいずれか１項に記載の電気掃除機用吸込具が連通する電気掃除機で、使用性の高い電気掃除機を提供できる。
【００１７】
【実施例】
（実施例１）
以下、本発明の第１の実施例を、図１〜図９を用いて説明する。
【００１８】
本実施形態は、図１に示すような床移動型の電気掃除機１及びその塵埃吸込口となる吸込具３について示すものである。この電気掃除機１は、先端に吸込具３を着脱可能に装着した延長管２は、手元ハンドル（手元操作筒）４に連結され、手元ハンドル４から延出するホース６はホース継ぎ手５によって掃除機本体７に連結されている。
【００１９】
上記吸込具３は、図２（ａ）、（ｂ）に示すように、床ノズル１１とそれに着脱自在に装着される小型ノズル１０からなり、小型ノズル１０は、前記延長管２に連結するための連結部となる連結管９と、後方が前記連結管９に上下傾動自在に接続され前部が吸気ヘッド４０に回転自在に連結された回動連結部（回動連結手段）８を備えている。
【００２０】
床ノズル１１に対する小型ノズル１０の着脱は、床ノズル１１に設けられた操作レバー１３を押し下げることにより小型ノズル１０を把持する保持具１２の把持状態が解放されて小型ノズル１０を床ノズル１１から離脱させることができ、小型ノズル１０を用いて狭い場所の掃除ができ、保持具１２内に小型ノズル１０を載せて軽く押圧することにより小型ノズル１０は床ノズル１１に装着され、床ノズル１１を用いて床面の掃除を効率よく行なうことができる。
【００２１】
上記床ノズル１１は、図３に内部構成を示すように、所謂パワーノズルとして構成され、ブラシ（図示せず）とゴムブレード（図示せず）とを回転軸２０ａに取り付けた回転ブラシ２０をモータ２１によって回転駆動し、絨毯等から塵埃を掻き出す機能を備えている。また、図４に示すように、床ノズル１１前方内壁にはイオン発生体１９が設けられている。イオン発生体１９は、各物質をプラスからマイナスの電荷を発生しやすさを列に表記した帯電列表から、マイナス側に帯電しやすいフッ化樹脂（テフロン（登録商標））および塩ビなどで形成されている。なお、回転ブラシ２０のブラシの材質は帯電列表からプラス側に帯電しやすいナイロン、羊毛などで構成されることが望ましい。
【００２２】
次に、床ノズル１１に対する小型ノズル１０の着脱構造について、図５及び図６を参照して説明する。
【００２３】
図５及び図６において、床ノズル１１に形成された小型ノズル収納凹部２６内には、その断面形状に沿うように保持具（小型ノズル着脱手段）１２が配設されている。保持具１２はその中央のヒンジ部分で左右一対に接続され、図５に示す解放状態と、図６に示す把持状態とに切り換え操作することができ、その操作は前記操作レバー１３の押し下げにより、図５に示す解放状態、即ち小型ノズル１０の離脱状態とし、保持具１２内に小型ノズル１０を押し入れることにより、図６に示す把持状態、即ち小型ノズル１０の装着状態とすることができる。
【００２４】
図５に示す離脱状態では、保持具１２は中央のヒンジ部分から左右に展開した状態にあり、保持具１２内に小型ノズル１０を押し入れると、ヒンジ部分の中央部に配設された押圧部材２９が押圧されて下がるので、保持具１２は小型ノズル収納凹部２６の底面側に下り、図５に示すように、小型ノズル１０の吸気ヘッド４０部位を包み込むように把持する。前記押圧部材２９の下降と共に、それに連結された駆動部材３２が支持部材３１に軸支されたロッド３０の一端を押し下げるので、ロッド３０の他端に設けられた操作レバー１３は、図５に示すように上昇位置になる。上記押圧部材２９、ロッド３０、支持部材３１、駆動部材３２は、保持具１２と共に小型ノズル着脱手段３８を構成する。なお、操作レバー１３は、支持部材３１および駆動部材３２の回動支点を中心に、弾性材（ばね）３１ａにて常に上方に付勢されている。
【００２５】
この保持具１２による小型ノズル１０の装着状態をより確実にするためには、図示するように小型ノズル１０の両側面に外方に付勢された係止ピン３３を設け、これに対応して保持具１２に係止凹部３４を形成すると、小型ノズル１０が保持具１２内に押し入れられたとき、係止ピン３３が係止凹部３４内に嵌り込み、床ノズル１１に対する小型ノズルの安定した装着状態が得られる。尚、保持具１２には、小型ノズル１０に設けられた起毛布１４を収容するための起毛布収納凹部３５が形成され、小型ノズル１０の装着状態で起毛布１４が押し潰されて変形し、その機能が損なわれることを防止している。
【００２６】
図６に示す床ノズル１１に対する小型ノズル１０の装着状態から小型ノズル１０を離脱させるには、上昇位置にある操作レバー１３を押し下げると、ロッド３０が支持部材３１を支点として回動し、駆動部材３２により保持具１２のヒンジ部分を押し上げるので、保持具１２が開くと同時に押圧部材２９によって小型ノズル１０が押し上げられ、小型ノズル１０を床ノズル１１から離脱させることができる。
【００２７】
前述したように、小型ノズル１０には吸気ヘッド４０と連結管９との間を上下方向及び左右方向に回動自在に連結する回動連結部８が設けられており、図２に示すように、小型ノズル１０が床ノズル１１に装着された状態では、図１に示すように連結管９に延長管２を介して連結された手元ハンドル４の上げ下げに対応して連結管９が上下に傾動する。また、手元ハンドル４を回動させる動き、即ち床ノズル１１の進路方向を左右いずれかの方向に変更するハンドル操作がなされるときには、進路方向に手元ハンドル４を回動させる動きが自然になされるので、回動連結部８に軸の回動が加わると、床ノズル１１の後方側に回動連結部８があるため軸の回動方向に床ノズル１１が回動する動きが働き、スムーズに床ノズル１１の進路変更がなされる。
【００２８】
小型ノズル１０を床ノズル１１から離脱させた状態では、小型ノズル１０が回転方向に動くと扱い難くなるので、回動連結部８の回転方向の動きをロックする回転方向回動係止手段（図示せず）を設けることができる。前記回転方向回動係止手段は、バネ付勢された係止部材（図示せず）を設け、小型ノズル１０が床ノズル１１に装着された状態では、床ノズル１１側に設けた係止解除手段（図示せず）によりバネ付勢に抗して係止部材を回転方向回動の係止状態から外すように構成すると、小型ノズル１０が床ノズル１１に装着された状態では回転方向回動係止手段は機能しないため、床ノズル１１の上下及び回転方向の自在回動が可能となり、小型ノズル１０を床ノズル１１から離脱させると回転方向回動係止手段が機能して小型ノズル１０の回転方向の回動をロックさせることができる。
【００２９】
小型ノズル１０は、図７に示すように、極細繊維の紡績布からなるカット繊維状の起毛布を螺旋状に巻きつけた２個の回転子１５ａ、１５ｂを、塵埃を吸引する開口を有する吸込室１６に臨んで回転自在に設けている。また吸込室１６側壁にはイオン発生体１９が設けられている。なお、回転子１５ａ、１５ｂの起毛布の材質は帯電列表からプラス側に帯電しやすいナイロン、羊毛などで構成されることが望ましい。回転子１５ａ、１５ｂの外周に巻き付けられた起毛布の繊維は、図７に示すように、回転軸１５ｃに対して略垂直方向（回転方向とは反対方向）の一方向に倒伏されており、かつ螺旋状に巻きつけられている。また、図８に示すように、小型ノズル１０の先端部には、一端が軸支され開口１７ａを開閉可能なように、風量調節部である風量調節弁９が設けられ、弾性体なるバネ１８によって保持されている。
【００３０】
なお、本実施例においては、回転子は２個設けられているが、１個でも、また２個以上を有していても、以下に述べる拭き、掃き効果は十分発揮できる。
【００３１】
上記構成における動作は、以下の通りである。
【００３２】
吸込具３を用いた電気掃除機１は、小型ノズル１０を床ノズル１１に装着した状態にすると、幅広の床ノズル１１内の回転ブラシ２０が回転することによってブラシがイオン発生体１９を摩擦し、イオン発生体１９がマイナス側に帯電してマイナス電荷を放出する。放出されたマイナス電荷は被掃除面上の塵埃に吸着し、吸引風およびブラシのプラス極性に引かれるため床面のゴミを効率的に除去できる。なお、前記小型ノズル１０を床ノズル１１に装着した状態においては、前記回転子１５ａ、１５ｂは回転は停止していて、小型ノズル１０からはマイナス電荷は放出されない。
【００３３】
また、床ノズル１１が入らない狭い場所や階段などを掃除する必要に応じて操作レバー１３を足踏みすると、腰を屈めることなく床ノズル１１から小型ノズル１０を離脱させることができ、小型ノズル１０を用いた掃除ができるので、先端ノズルを付け替える面倒な作業は解消される。また、小型ノズル１０を離脱させた床ノズル１１は床面にあるので、任意に床ノズル１１に小型ノズル１０を押し入れると即座に床掃除に変更することができる。
【００３４】
また、小型ノズル１０単独で使用時は吸込室１６に向かって吸引風ａが流れ、前記吸引風ａは、回転子１５ａ、１５ｂの起毛布に衝突することで、風圧により回転子１５ａ、１５ｂを回転させる。この時、床ノズル１１と同様に小型ノズル１０内の回転子１５ａ、１５ｂが回転することによって起毛布がイオン発生体１９を摩擦し、イオン発生体１９がマイナス側に帯電してマイナス電荷を放出する。放出されたマイナス電荷は被掃除面上の塵埃に吸着し、吸引風および起毛布のプラス極性に引かれるため床面のゴミを効率的に除去できる。なお、本実施例においては、被掃除面と小型ノズル１０の下面の隙間より、前記吸込室１６へと流入する吸引風ａによって回転させるものであるが、さらに、前記吸込具３の側面に開口を設け、前記開口より吸引風ａを前記吸込室１６内に流入させ、前記吸込室１６内に流入させた吸引風により、前記回転子１５ａ、１５ｂを回転させる構成としてもよい。
【００３５】
また、回転子１５ａ、１５ｂの外周に巻き付けられた起毛布の繊維は、回転軸１５ｃに対して略垂直方向（回転方向とは反対方向）に倒伏されており、吸引風ａは、その倒伏された起毛布の先端側から、前記回転子１５ａ、１５ｂに衝突するため、倒伏している繊維が風受けとなり、強い回転力が得られる。なお、吸引風ａは、その倒伏された起毛布の先端側から、前記回転子１５ａ、１５ｂに衝突するが、起毛布の繊維の根元側から吸引風ａが流入しなければ、回転力は得られるが、前記起毛布の先端に対して、吸引風ａが左右方向に各々略４５°の範囲で流入するのが望ましい。
【００３６】
また、風量調節弁１７は、開口１７ａより吸引風により押され、吸込室１６の前方が開き、バネ１８と力のバランスが取れる位置で静止する。これにより、風量が大きい時は吸込室１６内を開放に近づけ、回転子１５ａ、１５ｂの回転数を下げることによる騒音防止、または風量が少ない時は、吸込室１６内を密閉に近づけ回転子１５ａ、１５ｂの回転数を上げることにより、拭き、掃き、磨き性能の向上が実現できる。また、風量調節弁１７は、床ノズル１１に小型ノズル１０を装着されると全開に開き空気流路を形成する。
【００３７】
上記実施例では、床移動型の電気掃除機を例に挙げたが、手元ハンドル付きの小型掃除機本体に短い管路で吸込具を取り付けたハンドクリーナと称される電気掃除機に本実施形態の構成の吸込具３を適用することもでき、ハンドクリーナとしての機能を向上させることができる。
【００３８】
以上により、本実施例においては、外周に起毛布を巻き付けた回転子１５ａ、１５ｂを、空気の流れだけで回転させることができるため、モータ等の機械的駆動源が不要であり、小型、軽量、低価格で拭き、掃き、磨き性能が高い吸込具を提供することができる。
【００３９】
また、起毛布の繊維に直接空気を当てて回転させるため、起毛布のみの構成でその他に機構部品を用いないため、構造が単純で、信頼性が高く低価格な吸込具を提供することができる。
【００４０】
また、起毛布の繊維を、回転軸に対して略垂直方向（回転方向とは反対方向）に倒伏させることにより、風圧を受けることができることで、風を受けやすくなり、より大きな回転力が得られ拭き、掃き、磨き性能が高い吸込具を提供することができる。
【００４１】
次に、起毛布の繊維を、一方向（回転軸に対して略垂直方向（回転方向とは反対方向））に倒伏させることによって、空気が当たった時だけ繊維が起き、風車のように風を受けやすくなり、より大きな回転力が得られ拭き、掃き、磨き性能が高い吸込具を提供することができる。
【００４２】
また、起毛布を回転子の外周に螺旋状に巻きつけたもので、起毛布を螺旋状に巻きつけることにより、起毛布のつなぎ目に向かって気流が衝突することで、風を受けやすくなり、より大きな回転力が得られ拭き、掃き、磨き性能が高い吸込具を提供することができる。
【００４３】
（実施例２）
次に、本発明の第２の実施例を図１０〜図１１を用いて説明する。なお、上記実施例と同一構成部品には同一符号を付し、その説明は省略する。
【００４４】
小型ノズル１０の壁面２２は、図１０のように円弧状に形成され、かつ複数の開口部２３を有している。これは円弧軸方向の円弧頂点部位に図１１に示すような帯電順位の異なるブラシから成るブラシ群２７が１枚の基布３６上で装着され、その両側に下面開口部２３が開口し、それぞれの脇にもブラシ群２７が装着されているものである。
【００４５】
上記構成における動作は、以下の通りである。
【００４６】
掃除の際、ブラシ群２７と被掃除面が摩擦し、そのとき、帯電順位がプラス側の材質から成るブラシ３４とマイナス側の材質から成るブラシ３５が擦れ合うことにより、マイナス側の材質から成るブラシ３５が、マイナス側に帯電してマイナス電荷を放出する。このマイナス電荷を放出するブラシ３５が被掃除面と接触することにより、被掃除面の塵埃にマイナスイオンを効率良く吸着させることができる。また、このようにノズル下面を円弧状に形成することにより、階段などの直行する各面にブラシ群２７が接するので、マイナスイオンを効果的に拡散させることができ、加えて凹部の塵埃も効率良く掻き出すことができる。さらに下面開口部２３を複数設けていることで効率良く塵埃を吸引除去することができる。また、安価で帯電順位の異なるブラシを有するブラシ群を形成できる。
【００４７】
【発明の効果】
以上のように本発明によれば、床ノズル、小型ノズル共にイオン発生装置を設けているため、床ノズルに小型ノズルを装着した状態で床面のごみを効率的に除去でき、小型ノズル単体でも床ノズルでは無理な狭い場所の掃除をイオンの効果で床面のごみを効率的に除去できる。
【図面の簡単な説明】
【図１】本発明の第１の実施例を示す電気掃除機用吸込具を接続した電気掃除機の斜視図
【図２】（ａ）同電気掃除機用吸込具の平面図
（ｂ）同電気掃除機用吸込具の側面図
【図３】同電気掃除機用吸込具の内部構成を示す平面図
【図４】同電気掃除機用吸込具の中央断面図
【図５】同電気掃除機用吸込具の着脱構造を説明する離脱状態の断面図
【図６】同電気掃除機用吸込具の着脱構造を説明する装着状態の断面図
【図７】同電気掃除機用吸込具の小型ノズルの下面図
【図８】同電気掃除機用吸込具の小型ノズルの回転子の斜視図
【図９】同電気掃除機用吸込具の小型ノズルの側断面図
【図１０】（ａ）本発明の第２の実施例を示す電気掃除機用吸込具の小型ノズルの側面図
（ｂ）同電気掃除機用吸込具の下面図
（ｃ）同電気掃除機用吸込具の正面図
【図１１】同電気掃除機用吸込具の図１０（ｂ）のＡ−Ａ断面拡大図
【符号の説明】
１    電気掃除機
２    延長管（管路）
３    吸込具
７    掃除機本体
８    回動連結部（回動連結手段）
９    連結管（連結部）
１０  小型ノズル
１１  床ノズル
１２  保持具
１３  操作レバー
１５ａ、１５ｂ  回転子
１５ｃ  回転軸
２３  開口部
２７  ブラシ群
３４  ブラシ
３６  基布
３８  小型ノズル着脱手段
４０  吸気ヘッド
【図１】
2004337501.tif 000003
【図２】
2004337501.tif 000004
【図３】
2004337501.tif 000005
【図４】
2004337501.tif 000006
【図５】
2004337501.tif 000007
【図６】
2004337501.tif 000008
【図７】
2004337501.tif 000009
【図８】
2004337501.tif 000010
【図９】
2004337501.tif 000011
【図１０】
2004337501.tif 000012
【図１１】
2004337501.tif 000013